【手続補正書】
【提出日】平成24年4月20日(2012.4.20)
【手続補正１】
【補正対象書類名】特許請求の範囲
【補正対象項目名】全文
【補正方法】変更
【補正の内容】
【特許請求の範囲】
【請求項１】
箱であって、
単層の第１半箱ブランクと、
前記第１半箱ブランクの反対側に位置する単層の第２半箱ブランクと、
前記第２半箱ブランクの第１部分に接合される前記第１半箱ブランクの第１部分を含む第１の少なくとも二層の側面と、
前記第２半箱ブランクの第２部分に接合される前記第１半箱ブランクの第２部分を含み、かつ前記第１の二層の側面の反対側に位置する第２の少なくとも二層の側面と、
第３二層側面と、
前記第３二層側面の反対側に位置する第４二層側面と、
接合剤とを備え、
前記接合剤の第１層は、前記第１の二層の側面の第１層および第２層の間に配置され、該接合剤の第１層は模様被膜であり、該接合剤の第１層は、前記第１の二層の側面の第１層の第１面および第２層の第２面上にあり、該第１面は該第２面に隣接していることを特徴とする箱。
【請求項２】
前記接合剤の第１層は、前記第１の二層の側面の前記第１層の第１面および前記第２層の第２面の略全体にあることを特徴とする請求項１に記載の箱。
【請求項３】
前記接合剤の第２層は、前記第２の二層の側面の第３層および第４層の間に配置されており、前記接合剤の第２層は、模様被膜であり、前記接合剤の第２層は、前記第２の二層の側面の前記第３層の第１面および前記第４層の第２面上にあり、前記第１面は、前記第２面と隣接する、請求項１に記載の箱。
【請求項４】
単層ダストフラップを更に備え、該単層ダストフラップは、前記第１の二層の側面の前記第１層、前記第２の二層の側面の前記第１層、前記第３二層側面の前記第１層、および前記第４二層側面の前記第１層に従属しており、
各二層側面は、糊の層を含み、前記単層ダストフラップは、糊の層を用いて、少なくとも４層の部分を形成しながら、隣接する二層側面に糊付けされる、請求項１に記載の箱。
【請求項５】
前記第１及び第２の二層の側面の各々は、前記第１及び第２半箱ブランクの各々の一方の側方フラップを含み、前記第３及び第４二層側面は、前記第１及び第２半箱ブランクの各々の一方の端フラップを含む二層であり、
前記箱はさらに複数のダストフラップを備え、各ダストフラップは、三層側面を形成するように隣接する二層側面に接合される、請求項１に記載の箱。
【請求項６】
前記箱の一側面と一端面との各交差位置において隣接する三層部分を備える、請求項５に記載の箱。
【請求項７】
前記第１及び第２の二層の側面の各々は、前記第１及び第２半箱ブランクの各々の一方の側方フラップを含み、前記第３及び第４二層側面は、前記第１及び第２半箱ブランクの各々の一方の端フラップを含む二層であり、
前記箱はさらに複数のダストフラップを備え、前記箱の少なくとも一部は複数の層を含む、請求項１に記載の箱。
【請求項８】
前記箱は密封材料を更に備え、前記箱の各角部は前記密封材料によって密封されている、請求項５に記載の箱。
【請求項９】
前記第１及び第２半箱ブランクは、４０ミル（１．０２ミリメートル）未満の厚みを有する柔軟な材料からなる第１及び第２片から形成される、請求項１に記載の箱。
【請求項１０】
包装方法であって、
第１側方フラップの組を画定するために、第１および第２線に沿って、第１基材を折り曲げる工程と、
第２側方フラップの組を画定するために、第１および第２線に沿って、第２基材を折り曲げる工程と、
前記側方フラップの少なくとも一部の一方の面の略全体に接合剤を塗布する工程と、
第１および第２積層側壁を形成するために、前記側方フラップのうち前記第１側方フラップの組に含まれる一方の側方フラップを、前記側方フラップのうち前記第２側方フラップの組に含まれる一方の側方フラップと接合させて組立てられた箱ブランクを形成する工程であって、前記箱ブランクの第１端および第２端は開放しており、且つ、前記箱ブランクの前記第１端は前記第２端の反対側に位置する、工程と、
前記第１端において前記第１基材に少なくとも第１端フラップ、第１及び第２ダストフラップを形成する工程と、
前記第２基材に少なくとも第１端フラップ、第１及び第２ダストフラップを形成する工程と、
接合剤を前記第１基材の少なくとも第１端フラップ、前記第１及び第２ダストフラップに塗布する工程と、
前記第１基材の前記第１端フラップを前記第２基材の前記第１端フラップに接合する工程と、
前記第１基材の前記第１及び第２ダストフラップを、前記第２基材の側方フラップ、端フラップ、及びダストフラップのうち少なくとも一つに接合する工程とを備える方法。
【請求項１１】
前記第１および第２基材は、前記折り曲げる工程、塗布する工程、および接合する工程の間に、緊張状態に保たれ、前記組立てられた箱ブランクは、中空内部を有する請求項１０に記載の方法。
【請求項１２】
前記第１基材に第２端フラップ、第３及び第４ダストフラップを形成する工程と、
前記第２基材に第２端フラップ、第３及び第４ダストフラップを形成する工程と、
接合剤を前記第１基材の第２端フラップおよび前記第２基材の第２端フラップの少なくとも一方に塗布する工程と、
前記第１基材の前記第２端フラップを前記第２基材の前記第２端フラップと接合させる工程であって、閉塞した箱が形成される、工程と、
前記閉塞した箱の角部を密封する工程とを備える請求項１０に記載の方法。
【請求項１３】
前記組み立てられた箱を所定長さに切断する工程を更に備える請求項１０に記載の方法。
【請求項１４】
前記組み立てられた箱の中に、発送される物品を載置する工程を更に備える請求項１３に記載の方法。
【請求項１５】
第１半箱ブランク及び第２半箱ブランクを備える箱であって、
前記第１半箱ブランクは、
第１及び第２側方フラップと、
第１及び第２端フラップと、
第１、第２、第３及び第４ダストフラップとを含み、
前記第２半箱ブランクは、
第１及び第２側方フラップと、
第１及び第２端フラップと、
接合剤とを含み、
前記第１半箱ブランクの前記第１側方フラップは、第１二層側面を形成するように前記第２半箱ブランクの前記第１側方フラップに接合され、前記第１半箱ブランクの前記第２側方フラップは、第２の二層の側面を形成するように前記第２半箱ブランクの前記第２側方フラップに接合される、箱。
【請求項１６】
前記第１半箱ブランクの前記第１端フラップは、少なくとも部分的に二層の第１端を形成するように、前記第２半箱ブランクの前記第１端フラップの少なくとも一部に接合される、請求項１５に記載の箱。
【請求項１７】
前記第１半箱ブランクの前記第１ダストフラップは、少なくとも第１三層部分を形成するように、前記第１二層側面及び前記少なくとも部分的に二層の第１端の一方に接合される、請求項１６に記載の箱。
【請求項１８】
前記第２半箱ブランクは、第１、第２、第３及び第４ダストフラップを含み、前記第２半箱ブランクの前記の前記第１ダストフラップは、第２三層部分を形成するように、前記第１二層側面及び前記少なくとも部分的に二層の第１端の他方に接合される、請求項１７に記載の箱。
【請求項１９】
前記第２半箱ブランクは、第１、第２、第３及び第４ダストフラップを含み、前記第２半箱ブランクの前記の前記第１ダストフラップは、四層部分を形成するように、前記第１二層側面及び前記少なくとも部分的に二層の第１端の前記一方または前記第１半箱ブランクの前記第１ダストフラップに接合される、請求項１７に記載の箱。